(57)【要約】【課題】平行光を複数方向へ同時に、かつ、簡単に照射させることができる照明装置を提供することにある。【解決手段】光源（１）があって、この光源（１）の外周の一部領域に同光源（１）から照射される光を反射する弧状反射板（２）を設けるとともに、同光源（１）の外周の他部領域に凸レンズ（３）を設け、さらに、同光源（１）の配置されている位置と上記凸レンズ（３）の配置されている位置との間の距離が、上記弧状反射板（２）にて反射された光の焦点（８）位置と上記凸レンズ（３）の配置されている位置との間の距離と略等しくなっているものである。【選択図】    図１
2004259451.tif 000002
【特許請求の範囲】
【請求項１】
光源があって、この光源の外周の一部領域に同光源から照射される光を反射する弧状反射板を設けるとともに、同光源の外周の他部領域に凸レンズを設け、さらに、同光源の配置されている位置と上記凸レンズの配置されている位置との間の距離が、上記弧状反射板にて反射された光の焦点位置と上記凸レンズの配置されている位置との間の距離と略等しくなっているものであることを特徴とする照明装置。
【請求項２】
上記弧状反射板が複数設けられており、この複数の弧状反射板のそれぞれにて反射された光の焦点位置と上記凸レンズの配置されている位置との間の距離は、いずれも上記光源の配置されている位置と上記凸レンズの配置されている位置との間の距離に略等しくなっているものであることを特徴とする請求項１記載の照明装置。
【請求項３】
上記弧状反射板が、可動なものとなしたことを特徴とする請求項１または請求項２記載の照明装置。
【請求項４】
上記光源が、可動なものとなしたことを特徴とする請求項１ないし請求項３いずれか記載の照明装置。
【請求項５】
上記弧状反射板と上記光源とが、可動なプレート上に一体に固定されたものであることを特徴とする請求項１ないし請求項４いずれか記載の照明装置。
【発明の詳細な説明】
【０００１】
【発明の属する技術分野】
本発明は、照明装置に関し、さらに詳しくは、反射板とレンズとを組み合わせて用いることで、複数方向へ光を照射させることができる照明装置に関するものである。
【０００２】
【従来の技術】
従来の照明装置としては、例えば、図５に示すごとく、光源（１）があって、この光源（１）の外周の一部領域に凸レンズ（３）を設けていたものが知られていて、この場合、上記光源（１）と上記凸レンズ（３）との中心を合わせて、しかも、上記凸レンズ（３）の曲率と上記光源（１）からの距離を合わせられると、同光源（１）から照射された光が、上記凸レンズ（３）を通ることによって、まっすぐな平行光が得られるようになっていたものであった。
【０００３】
また、この場合、図６に示すごとく、上記光源（１）を上記凸レンズ（３）よりも上に配置して、しかも、上記凸レンズ（３）の曲率と上記光源（１）からの距離を合わせられると、同光源（１）から照射された光が、上記凸レンズ（３）を通ることによって、下向きの平行光が得られるようになっていたものであった。
【０００４】
そして、図７に示すごとく、光源（１）があって、この光源（１）の外周の一部領域に同光源（１）から照射される光を反射する半分に割られたような楕円反射板（１０）を設けていたものも知られていて、この場合、同図に示すごとき上記楕円反射板（１０）を用いて、楕円内の焦点位置に光源（１）を置いた際には、同光源（１）から照射された光が楕円反射板（１０）にて反射された光の焦点（８）位置を通るものであり、焦点（８）位置を通った後は、広がるようにして光が照射されるものであった。
【０００５】
さらには、下記の特許文献１に示したような特開２００２−２５０９６０号公報に開示されているものも知られていた。この公報によると、図８に示すごとく、光源（１）があって、この光源（１）の外周の一部領域に同光源（１）から照射される光を反射する４分の１に割られたような楕円状反射板（１１）を設けているとともに、この楕円状反射板（１１）で上記光源（１）とは離れた方の一端部に平板状のレンズ（９）が設けられていたものであった。この場合、光源（１）から出た光の一部は、直接レンズ（９）を通って外部へ照射されたり、あるいは、同光源（１）から出た光が、楕円状反射板（１１）で反射してからレンズ（９）を通って外部へ照射されたりするようになっており、いずれにしてもレンズ（９）を通った光は広がるようにして照射されるものであった。
【０００６】
【特許文献１】
特開２００２−２５０９６０号公報
【０００７】
【発明が解決しようとする課題】
しかしながら、このような照明装置においては、まず、図５および図６に示す場合であると、凸レンズ（３）を利用して、所望の一方向へ平行光を照射することができるものの、平行光を同時に複数方向へ照射することはできないものであった。また、図７や図８に示す場合であると、楕円反射板（１０）や楕円状反射板（１１）、平板状のレンズ（９）などを利用して、一度に広い範囲への照射がなされるものの、平行光を同時に複数方向へ照射することはできないものであった。
【０００８】
本発明は、上述の事実に鑑みてなされたものであって、その目的とするところは、平行光を複数方向へ同時に、かつ、簡単に照射させることができる照明装置を提供することにある。
【０００９】
【課題を解決するための手段】
本発明の請求項１に係る照明装置は、光源（１）があって、この光源（１）の外周の一部領域に同光源（１）から照射される光を反射する弧状反射板（２）を設けるとともに、同光源（１）の外周の他部領域に凸レンズ（３）を設け、さらに、同光源（１）の配置されている位置と上記凸レンズ（３）の配置されている位置との間の距離が、上記弧状反射板（２）にて反射された光の焦点（８）位置と上記凸レンズ（３）の配置されている位置との間の距離と略等しくなっているものであることを特徴とする。
【００１０】
本発明の請求項２に係る照明装置は、上記弧状反射板（２）が複数設けられており、この複数の弧状反射板（２）のそれぞれにて反射された光の焦点（８）位置と上記凸レンズ（３）の配置されている位置との間の距離は、いずれも上記光源（１）の配置されている位置と上記凸レンズ（３）の配置されている位置との間の距離に略等しくなっているものであることを特徴とする。
【００１１】
本発明の請求項３に係る照明装置は、上記弧状反射板（２）が、可動なものとなしたことを特徴とする。
【００１２】
本発明の請求項４に係る照明装置は、上記光源（１）が、可動なものとなしたことを特徴とする。
【００１３】
本発明の請求項５に係る照明装置は、上記弧状反射板（２）と上記光源（１）とが、可動なプレート（４）上に一体に固定されたものであることを特徴とする。
【００１４】
【発明の実施の形態】
以下、本発明の実施の形態を図面に基づいて詳細に説明する。
【００１５】
図１は、本発明の第１の実施形態に係る照明装置を示した概略図である。図２は、本発明の第２の実施形態に係る照明装置を示した概略図である。図３は、本発明の第３の実施形態に係る照明装置を示した概略図である。図４は、図３の照明装置において、プレートを動かした際の様子を示した概略図である。
【００１６】
本発明の照明装置は、図１ないし図４に示すごとく、光源（１）があって、この光源（１）の外周の一部領域に同光源（１）から照射される光を反射する弧状反射板（２）を設けるとともに、同光源（１）の外周の他部領域に凸レンズ（３）を設け、さらに、同光源（１）の配置されている位置と上記凸レンズ（３）の配置されている位置との間の距離が、上記弧状反射板（２）にて反射された光の焦点（８）位置と上記凸レンズ（３）の配置されている位置との間の距離と略等しくなっているものである。
【００１７】
上記光源（１）は、例えば、図１ないし図４に示すごとき電球などのような点状の光源が用いられるものである。そして、上記弧状反射板（２）は、例えば、楕円状の反射板を分割したようなものである。この弧状反射板（２）は、上記光源（１）の外周の一部領域に設けられているものである。このように光源（１）の外周の一部領域に設けられていることで、この弧状反射板（２）は、光源（１）から照射される光を反射することができるようになっているものである。弧状反射板（２）としては、アルミニウム板、銀板などのような金属製のものが通常採用されるものであるが、光を反射させることができるものであれば、その他の材質のものが採用されたとしてもかまわないものである。
【００１８】
上記凸レンズ（３）は、図１ないし図４に示すごとく、上記光源（１）の外周の他部領域に設けているものである。この凸レンズ（３）としては、通常用いられているものでかまわないものである。そして、同凸レンズ（３）の大きさや厚さなどのサイズとしても、平行光を照射させたい範囲などに応じて、自由自在に設定することができるものである。
【００１９】
本発明では、図１ないし図４に示すごとく、上記光源（１）の配置されている位置と上記凸レンズ（３）の配置されている位置との間の距離が、上記弧状反射板（２）にて反射された光の焦点（８）位置と上記凸レンズ（３）の配置されている位置との間の距離と略等しくなっているものである。
【００２０】
本発明は、このような構成をとることによって、光源（１）から出た光が、光源（１）の外周の一部領域に設けられた弧状反射板（２）で反射されてから同光源（１）の外周の他部領域に設けられた凸レンズ（３）を通って一方向へ平行光が照射されるとともに、同光源（１）から出た光の一部は、直接、上記凸レンズ（３）を通って他の一方向へ平行光が照射されたりするようになっており、このように、光源（１）の配置されている位置と凸レンズ（３）の配置されている位置との間の距離が、弧状反射板（２）にて反射された光の焦点（８）位置と凸レンズ（３）の配置されている位置との間の距離と略等しくなっていることで、平行光を複数方向へ同時に、かつ、簡単に照射させることができるものである。
【００２１】
すなわち、本発明は、平行光を複数方向へ同時に、かつ、簡単に照射させることができるものである。
【００２２】
また、図２に示すごとく、上記弧状反射板（２）が複数設けられており、この複数の弧状反射板（２）のそれぞれにて反射された光の焦点（８）位置と上記凸レンズ（３）の配置されている位置との間の距離は、いずれも上記光源（１）の配置されている位置と上記凸レンズ（３）の配置されている位置との間の距離に略等しくなっているものであると、光源（１）から出た光が、光源（１）の外周の一部領域に設けられたそれぞれの弧状反射板（２）で反射されてから同光源（１）の外周の他部領域に設けられた凸レンズ（３）を通って各方向へ平行光が照射されるとともに、同光源（１）から出た光の一部は、直接、上記凸レンズ（３）を通って他の方向へ平行光が照射されたりするようになっており、このように、光源（１）の配置されている位置と凸レンズ（３）の配置されている位置との間の距離が、それぞれの弧状反射板（２）にて反射された光の焦点（８）位置と凸レンズ（３）の配置されている位置との間の距離と略等しくなっていることで、平行光を複数方向へ同時に、かつ、簡単に照射させることができるものである。
【００２３】
具体的には、図２に示すごとく、上記弧状反射板（２）が第１の弧状反射板（２ａ）と第２の弧状反射板（２ｂ）というように２つ設けられている場合であると、この第１の弧状反射板（２ａ）にて反射された光の第１の焦点（８ａ）位置と凸レンズ（３）の配置されている位置との間の距離は、光源（１）の配置されている位置と凸レンズ（３）の配置されている位置との間の距離に略等しくなっているとともに、この第２の弧状反射板（２ｂ）にて反射された光の第２の焦点（８ｂ）位置と凸レンズ（３）の配置されている位置との間の距離は、光源（１）の配置されている位置と凸レンズ（３）の配置されている位置との間の距離に略等しくなっているものである。
【００２４】
図２に示す場合、このように構成することで、光源（１）から出た光が、光源（１）の外周の一部領域に設けられた第１の弧状反射板（２ａ）または第２の弧状反射板（２ｂ）で反射されてから同光源（１）の外周の他部領域に設けられた凸レンズ（３）を通って２方向へ平行光が照射されるとともに、同光源（１）から出た光の一部は、直接、上記凸レンズ（３）を通って他の方向へ平行光が照射されたりするようになっており、結果として、平行光を３方向へ同時に、かつ、簡単に照射させることができるものである。
【００２５】
さらに、図３および図４に示すごとく、上記弧状反射板（２）が、可動なものとなしていると、光源（１）の配置されている位置と凸レンズ（３）の配置されている位置との間の距離が、弧状反射板（２）にて反射された光の焦点（８）位置と凸レンズ（３）の配置されている位置との間の距離と略等しくなっていることで、平行光を複数方向へ同時に、かつ、簡単に照射させることができながら、可動なものとなした弧状反射板（２）にて同弧状反射板（２）を動かすことにより所望の方向へ平行光を簡単に照射させることができるものとなる。
【００２６】
また、図３および図４に示すごとく、上記光源（１）が、可動なものとなしていると、光源（１）の配置されている位置と凸レンズ（３）の配置されている位置との間の距離が、弧状反射板（２）にて反射された光の焦点（８）位置と凸レンズ（３）の配置されている位置との間の距離と略等しくなっていることで、平行光を複数方向へ同時に、かつ、簡単に照射させることができながら、可動なものとなした光源（１）にて同光源（１）を動かすことにより所望の方向へ平行光を簡単に照射させることができるものとなる。
【００２７】
そして、図３および図４に示すごとく、上記弧状反射板（２）と上記光源（１）とが、可動なプレート（４）上に一体に固定されたものであると、可動なプレート（４）上に一体に固定された弧状反射板（２）と光源（１）とにより光源（１）の配置されている位置と凸レンズ（３）の配置されている位置との間の距離が、弧状反射板（２）にて反射された光の焦点（８）位置と凸レンズ（３）の配置されている位置との間の距離と略等しくなるように常に確実に維持しながら、プレート（４）を動かすことにより所望の方向へ平行光を簡単に照射させることができるものとなる。
【００２８】
具体的には、図３および図４に示すごとく、上記弧状反射板（２）と上記光源（１）とがプレート（４）上に一体に固定されていて、そして、照明装置の器具本体部（７）に長穴（６）が設けてあり、この長穴（６）に嵌っていて、同長穴（６）に沿って動く１本ないし複数本のガイドピン（５）を設けていることで、プレート（４）を可動となしているものである。なお、本実施形態では、上記ガイドピン（５）は、２本の場合が示されているが、これに制限されるものではないものである。このように可動なプレート（４）を設けていることで、図３に示す方向や図４に示す方向などに可動なプレート（４）を動かして、所望の方向へ平行光を簡単に照射させることができるものである。
【００２９】
本発明に係る照明装置によると、図１ないし図４に示すごとく、光源（１）があって、この光源（１）の外周の一部領域に同光源（１）から照射される光を反射する弧状反射板（２）を設けるとともに、同光源（１）の外周の他部領域に凸レンズ（３）を設け、さらに、同光源（１）の配置されている位置と上記凸レンズ（３）の配置されている位置との間の距離が、上記弧状反射板（２）にて反射された光の焦点（８）位置と上記凸レンズ（３）の配置されている位置との間の距離と略等しくなっているものであるので、光源（１）から出た光が、光源（１）の外周の一部領域に設けられた弧状反射板（２）で反射されてから同光源（１）の外周の他部領域に設けられた凸レンズ（３）を通って一方向へ平行光が照射されるとともに、同光源（１）から出た光の一部は、直接、上記凸レンズ（３）を通って他の一方向へ平行光が照射されたりするようになっており、このように、光源（１）の配置されている位置と凸レンズ（３）の配置されている位置との間の距離が、弧状反射板（２）にて反射された光の焦点（８）位置と凸レンズ（３）の配置されている位置との間の距離と略等しくなっていることで、平行光を複数方向へ同時に、かつ、簡単に照射させることができるものである。
【００３０】
すなわち、本発明は、平行光を複数方向へ同時に、かつ、簡単に照射させることができるものである。
【００３１】
【発明の効果】
本発明の請求項１に係る照明装置によると、光源（１）から出た光が、光源（１）の外周の一部領域に設けられた弧状反射板（２）で反射されてから同光源（１）の外周の他部領域に設けられた凸レンズ（３）を通って一方向へ平行光が照射されるとともに、同光源（１）から出た光の一部は、直接、上記凸レンズ（３）を通って他の一方向へ平行光が照射されたりするようになっており、このように、光源（１）の配置されている位置と凸レンズ（３）の配置されている位置との間の距離が、弧状反射板（２）にて反射された光の焦点（８）位置と凸レンズ（３）の配置されている位置との間の距離と略等しくなっていることで、平行光を複数方向へ同時に、かつ、簡単に照射させることができるものである。
【００３２】
すなわち、本発明は、平行光を複数方向へ同時に、かつ、簡単に照射させることができるものである。
【００３３】
本発明の請求項２に係る照明装置によると、請求項１記載の場合に加えて、光源（１）から出た光が、光源（１）の外周の一部領域に設けられたそれぞれの弧状反射板（２）で反射されてから同光源（１）の外周の他部領域に設けられた凸レンズ（３）を通って各方向へ平行光が照射されるとともに、同光源（１）から出た光の一部は、直接、上記凸レンズ（３）を通って他の方向へ平行光が照射されたりするようになっており、このように、光源（１）の配置されている位置と凸レンズ（３）の配置されている位置との間の距離が、それぞれの弧状反射板（２）にて反射された光の焦点（８）位置と凸レンズ（３）の配置されている位置との間の距離と略等しくなっていることで、平行光を複数方向へ同時に、かつ、簡単に照射させることができるものである。
【００３４】
本発明の請求項３に係る照明装置によると、請求項１または請求項２記載の場合に加えて、光源（１）の配置されている位置と凸レンズ（３）の配置されている位置との間の距離が、弧状反射板（２）にて反射された光の焦点（８）位置と凸レンズ（３）の配置されている位置との間の距離と略等しくなっていることで、平行光を複数方向へ同時に、かつ、簡単に照射させることができながら、可動なものとなした弧状反射板（２）にて同弧状反射板（２）を動かすことにより所望の方向へ平行光を簡単に照射させることができるものとなる。
【００３５】
本発明の請求項４に係る照明装置によると、請求項１ないし請求項３いずれか記載の場合に加えて、光源（１）の配置されている位置と凸レンズ（３）の配置されている位置との間の距離が、弧状反射板（２）にて反射された光の焦点（８）位置と凸レンズ（３）の配置されている位置との間の距離と略等しくなっていることで、平行光を複数方向へ同時に、かつ、簡単に照射させることができながら、可動なものとなした光源（１）にて同光源（１）を動かすことにより所望の方向へ平行光を簡単に照射させることができるものとなる。
【００３６】
本発明の請求項５に係る照明装置によると、請求項１ないし請求項４いずれか記載の場合に加えて、可動なプレート（４）上に一体に固定された弧状反射板（２）と光源（１）とにより光源（１）の配置されている位置と凸レンズ（３）の配置されている位置との間の距離が、弧状反射板（２）にて反射された光の焦点位置と凸レンズ（３）の配置されている位置との間の距離と略等しくなるように常に確実に維持しながら、プレート（４）を動かすことにより所望の方向へ平行光を簡単に照射させることができるものとなる。
【図面の簡単な説明】
【図１】本発明の第１の実施形態に係る照明装置を示した概略図である。
【図２】本発明の第２の実施形態に係る照明装置を示した概略図である。
【図３】本発明の第３の実施形態に係る照明装置を示した概略図である。
【図４】図３の照明装置において、プレートを動かした際の様子を示した概略図である。
【図５】一従来例に係る照明装置を説明するのに示した概略図である。
【図６】図５と同様のもので、一従来例に係る照明装置を説明するのに示した概略図である。
【図７】他の一従来例に係る照明装置を説明するのに示した概略図である。
【図８】さらに他の一従来例に係る照明装置を示した概略図である。
【符号の説明】
１    光源
２    弧状反射板
３    凸レンズ
４    プレート
８    焦点
【図１】
2004259451.tif 000003
【図２】
2004259451.tif 000004
【図３】
2004259451.tif 000005
【図４】
2004259451.tif 000006
【図５】
2004259451.tif 000007
【図６】
2004259451.tif 000008
【図７】
2004259451.tif 000009
【図８】
2004259451.tif 000010